(57)【要約】【課題】  電子スチルカメラでは銀塩カメラとは異なり、電子スチルカメラ特有の設定が多々存在する。その為、様々な設定に関しての知識を持たなくして、高画質な映像を撮影することは難しいこととなっている。本発明の課題は、誰もが容易に高画質な映像を撮影できる電子スチルカメラを実現することにある。【解決手段】  撮影した画像が二次元コードであるか否かを判断する手段と、撮影した画像が二次元コードであった場合には二次元コードの展開を行う手段と、展開した情報の中から撮影設定データを読み取りカメラに設定を行う手段を持つ構成の電子スチルカメラとする。【選択図】  図１
2007074538.tif 000002
【特許請求の範囲】
【請求項１】
撮影した画像が二次元コードであるか否かを判断する手段と、撮影した画像が二次元コードであった場合には二次元コードの展開を行う手段と、展開した画像情報の中から撮影設定データを読み取り、カメラに設定を行う手段を持つことを特徴とする電子スチルカメラ。
【発明の詳細な説明】
【技術分野】
【０００１】
本発明は電子スチルカメラおよび、電子スチルカメラにおける、撮影条件データの設定方法に関する。
【背景技術】
【０００２】
近年では、電子スチルカメラは撮影直後から撮影した画像を、液晶表示装置等を用いて確認できる事、不要な画像は削除が可能な事などの利便性から、急速に需要が増加している。
【０００３】
従来の銀塩カメラでは、撮影時に撮影者がコントロール出来るのは、絞り値、シャータースピードであり、色味、色調、ISO感度に関してはカメラにセットされたフィルムの性能により決定されてしまう。
【０００４】
一方、電子スチルカメラでは、フィルムにあたるのはＣＣＤ（Ｃｈａｒｇｅ−Ｃｏｕｐｌｅｄ  Ｄｅｖｉｃｅ）であり、ＣＣＤで受光した画像をカメラ内の画像処理装置により画像処理を行い、内部メモリ或いはリムーバブル・メディア等に記録を行う。電子スチルカメラでは画像処理の段階で色味、色調等が決定される。撮影者は撮影をする前に色味、色調等の設定を行う事で、１コマ毎に異なる画像を撮影する事が出来る事となる。
【０００５】
従来の電子スチルカメラでは、例えば撮影者が風景を高画質に撮影したいと考えた場合、絞り値、シャッタースピードの設定、さらには色調整の出来るカメラであれば、ホワイトバランス、カラーバランス、シャープネス或いは、ソフトネス等の設定を行う必要がある。
【０００６】
鮮やかな夕日を撮影したい場合には、カラーバランスのレッドを＋１に設定したり、山の木々の細部までを詳細に撮影したい場合には、シャープネスの設定を＋２に設定したりするなど、色調整、画像調整を細かく設定を行う必要がある。
【０００７】
これらの色調整、画像調整等の画像処理に関する設定は、従来の銀塩カメラには無い種類の設定であり、電子スチルカメラに不慣れな撮影者では、なかなか思い通りの映像を撮影出来る設定にすることは難しい。
【０００８】
又、各カメラメーカー及びカメラの機種毎に、設定方法、設定種類、設定値が異なっており、異なる機種のカメラに同じ値を設定しても、同じ画像が撮影できるとは限らない。
【０００９】
その為、撮影者は画像処理に関する知識のみならず、カメラの種類毎に異なる画像処理の傾向を熟知する必要がある。
【００１０】
上記問題を解決する為に従来では、カメラ内の記録メディア（例えばフレキシブルディスク）にサンプル画像が記録されており、撮影者が所望の画像を選択すると、その画像に応じた撮影の設定をカメラに行う構成を持つものがある（例えば特許文献１）。
【特許文献１】特許第3100718号公報
【発明の開示】
【発明が解決しようとする課題】
【００１１】
しかし、上記特許文献１では、記録メディアにサンプル画像及び撮影設定データを格納する手段に関しては言及されておらず、例えばパソコンにカメラを接続、或いは、記録メディアをパソコンに接続して、パソコンに格納されているサンプル画像及び撮影設定データをカメラ内の記録メディアに移動する作業が必要である。この場合、撮影したい条件がカメラ内の記録メディアに無い時には、パソコンから新たにサンプル画像及び撮影設定データを読み込む必要がある。
【００１２】
又、大量のサンプル画像及び撮影設定データを記憶するには、大容量の記録メディアが必要となりコスト的な負荷も大きくなってしまう。
【００１３】
そこで、本発明では記録メディア及びパソコンを必要とせずに、多くの撮影モードをカメラに簡単に自動設定できる様にした、電子スチルカメラを提供することにある。
【課題を解決するための手段】
【００１４】
前記目的を達成する為に本発明では、撮影した画像が二次元コードであるか否かを判断する手段と、撮影した画像が二次元コードであった場合には二次元コードの展開を行う手段と、展開した情報の中から撮影設定データを読み取りカメラに設定を行う手段を持つ構成の電子スチルカメラである。
【発明の効果】
【００１５】
本発明によれば、紙上に記録された二次元コード化された撮影情報を撮影することで、二次元コードに埋め込まれている撮影データをカメラに設定することが出来る。
【００１６】
二次元コードとサムネイル化されたサンプル画像が１枚の紙に記録されていれば（以下、撮影設定データシート）、撮影者はサンプル画像を確認しながらサンプル画像に応じた二次元コードの撮影を行う事で、サンプル画像と同じ設定をカメラに行う事が可能となる。
【００１７】
さらには、撮影設定シートはカメラメーカーが提供を行い、一枚の撮影設定シートの二次元コードの中に、複数のカメラに関する撮影設定データを埋め込んでおく事で、撮影したカメラ側で自身に対応した撮影設定データを検出し、自動的にカメラに設定を行う。これにより、撮影者は複数のカメラを使い分ける場合にも、一枚の撮影設定シートでカメラの種類毎に異なる画像処理の傾向を気にする必要は無くなる。
【発明を実施するための最良の形態】
【００１８】
（実施例１）
以下、図面を参照して本発明を詳細に説明する。
【００１９】
図１は本発明による二次元コードを用いて撮影モード設定を行う電子スチルカメラの実施例を示す回路ブロック図である。光学系/ＣＣＤユニット１０１、１０２、１０３から構成されており、１０１は図示しない被写体からの反射光を集束するレンズユニット、１０２は光量を適量に調整する絞り及びシャッターユニット、１０３はレンズ１０１、絞り/シャッター１０２等からなる撮影光学系によって結像した被写体像を電気信号に変換する光電変換素子（以下ＣＣＤと称す）である。
【００２０】
１０４はこのＣＣＤの出力をデジタル信号に変換するアナログ/デジタル変換器、１０５はアナログ/デジタル変換器１０４でデジタル化された信号を処理するデジタルプロセッサ、１０６はカメラ制御と信号処理を行うＣＰＵ、１０８はＣＰＵでの処理の際一時記憶に利用される読み書き可能なメモリ、１０７はデジタルプロセッサ１０５で処理された画像データの圧縮を行う画像圧縮回路、１０７で圧縮された画像データは着脱可能なメモリとの接続を行うインターフェース１１０を経由して、着脱可能な記録媒体で１１１に記録される。
【００２１】
１１５はカメラの設定及び、シャッターボタン等のＳＷであるユーザーインターフェースであり、１１２は撮影した画像のレックビュー及び画像再生を行うＬＣＤ１、１１３は撮影枚数や電池残量を表示する情報表示ＬＣＤ２であり、ＬＣＤ制御ＩＣ１１４により、ＬＣＤ１、ＬＣＤ２は表示制御が行われている。
【００２２】
ユーザーインターフェース１１５で操作されたキーをＣＰＵ１０６が読み取り、操作に応じて、シャッターユニット１０２の操作やＬＣＤに操作メニュー等の表示を行う。
【００２３】
本実施例ではマトリクス型二次元コードであるＱＲコード（登録商標）を用いて説明を行う。ＱＲコードは図４に示すような形態であり読み取り精度に優れており、又記録容量においても数字だけなら最大７０８９文字の記憶することが可能である。
【００２４】
次に図２は、二次元コードを用いて撮影モード設定を行うフローチャートである。ユーザーインターフェース１１５の操作によりカメラ電源がＯＮされ（Ｓ２０１）、撮影設定モードに切り替えられた場合（Ｓ２０２）、画像の撮影を行う（Ｓ２０３）、ここで、撮影設定モードでない場合には通常モードとして立ち上がりカメラはスタンバイ状態となる（Ｓ２０９）。（Ｓ２０４）では撮影した画像にＱＲコードが含まれているかの判断を行う。ここで、ＱＲコードが含まれていなければ、撮影した画像がＱＲコードで無いことをＬＣＤ１に表示を行う（Ｓ２１０）。
【００２５】
撮影した画像にＱＲコードが含まれていた場合ＣＰＵ１０６はＱＲコードの展開を行う（Ｓ２０５）、展開されたデータは内蔵メモリ１０８に一時的に保持される。
【００２６】
ＣＰＵ１０６は展開されたデータの中から撮影設定データの検索を行い（Ｓ２０６）、撮影設定データが含まれていた場合には展開後データから撮影カメラに適した撮影設定データを読み出し（Ｓ２０７）、撮影設定データをシャッターユニット１０２及びデジタルプロセッサ１０５等に設定する（Ｓ２０８）。
【００２７】
シャッタースピード、絞りの撮影設定データよりシャッターユニット１０２に設定を行い、その他の画像処理に関わる設定はデジタルプロセッサ１０５に設定され、アナログ/デジタル変換器１０４でデジタル化された信号を処理する際、デジタルプロセッサ１０５は設定値に基づいて画像処理を実行する。
【００２８】
（Ｓ２０６）で撮影設定データが含まれていない場合には、撮影設定データが含まれていない事をＬＣＤ１表示を行う（Ｓ２１０）。
【００２９】
図６はＱＲコードが展開された後の撮影設定データを表示したものである。
【００３０】
ＱＲコード内にはシャッター速度から焦点距離まで、さまざまな設定データがカメラ機種毎に保持されている。ＱＲコードを撮影したカメラがＭｏｄｅｌ１であれば、Ｍｏｄｅｌ１の設定パラメータがカメラに設定される。
【００３１】
図５は代表的な使用方法の例として、設定データが記録されたＱＲコードと作画例の写真が１枚のシートになっている撮影設定データシートである。このような撮影設定データシートを、カメラメーカーがプロカメラマンの作品をコンテンツとしてＷＥＢ上に公開し、ユーザーは自宅のプリンタで撮影設定データシートを印刷することで、プロカメラマンと同じ設定で写真を撮影する事が可能となる。
【００３２】
本実施例ではＱＲコードを用いたが、バーコードなどの他の二次元コードでも同様の効果が得られることは言うまでも無い。
【００３３】
又、本実施例では１枚の撮影設定データシートの中に複数のカメラの設定を盛り込んだ場合に関して説明を行ったが、１枚の撮影設定データシート毎に１種類のカメラに関する設定が記録されている場合でも本発明の効果は十分に得られる。
【００３４】
（実施例２）
図３は実施例２における、二次元コードを用いて撮影モード設定を行うフローチャート図である。ユーザーインターフェース１１５の操作によりカメラ電源がＯＮされ（Ｓ３０１）、撮影設定モードに切り替えられた場合（Ｓ３０２）、画像の撮影を行う（Ｓ３０３）。
【００３５】
ここで、撮影設定モードでない場合には撮影データ読み出しモードであるかを判断して（Ｓ３１１）、撮影データ読み出しモードで無い場合には通常モードとして立ち上がりカメラはスタンバイ状態となる（Ｓ３１４）。撮影データ読み出しモードであった場合には、ユーザーはＬＣＤ１に表示される撮影データ名をユーザーインターフェース１１５で切り替えながら所望の撮影データの選択を行い（Ｓ３１２）、選択された撮影設定データがカメラに設定される（Ｓ３１３）。
【００３６】
（Ｓ３０３）で撮影した画像にＱＲコードが含まれていた場合ＣＰＵ１０６はＱＲコードの展開を行う（Ｓ３０５）、展開されたデータは内蔵メモリ１０８に一時的に保持される。
【００３７】
ＣＰＵ１０６は展開されたデータの中から撮影設定データの検索を行い（Ｓ３０６）、撮影設定データが含まれていた場合には展開後データから撮影カメラに適した撮影設定データを読み出し（Ｓ３０７）、読み出した撮影データを保存するか否かのメッセージをＬＣＤ１に表示を行い（Ｓ３０８）、保存しないが選択された場合には撮影設定データをカメラに設定を行う。Ｓ３０８で保存するが選択された場合には、不揮発性メモリ１０９に撮影設定データが記録される（Ｓ３０９）。次に、Ｓ３１０で撮影設定データがカメラに設定が行われる。
【００３８】
撮影設定データの不揮発性メモリへの保存は、カメラに設定された後に、現在カメラに設定されている状態を保存する構成としても良い。
【００３９】
又、撮影設定データを不揮発性メモリへの保存１０９に保存する際に、撮影設定データにＮｏ或いは、任意の名称を付ける、又はＱＲコード内に撮影設定データの名称自体が含まれている構成としておくことで、撮影設定データを再利用する際の、読み出し検索の利便性を向上させた構成とすることが望ましい。
【図面の簡単な説明】
【００４０】
【図１】実施例における電子スチルカメラの回路ブロック図。
【図２】実施例１における動作フローチャート。
【図３】実施例２における動作フローチャート。
【図４】代表的な二次元コードであるＱＲコード。
【図５】実施例における代表的な使用例。
【図６】ＱＲコードを展開した後の撮影設定データを示す図。
【符号の説明】
【００４１】
１０１  レンズユニット
１０２  絞り及びシャッターユニット
１０３  ＣＣＤ
１０４  Ａ/Ｄ変換回路
１０５  デジタルプロセッサ
１０６  ＣＰＵ
１０７  画像圧縮回路
１０８  書き換え可能な内蔵メモリ
１０９  不揮発性メモリ
１１０  外部メモリとのインターフェース
１１１  着脱可能な記録媒体
１１２  ＬＣＤ１
１１３  ＬＣＤ２
１１４  ＬＣＤ表示用ＩＣ
１１５  ユーザーインターフェース
【図１】
2007074538.tif 000003
【図２】
2007074538.tif 000004
【図３】
2007074538.tif 000005
【図４】
2007074538.tif 000006
【図５】
2007074538.tif 000007
【図６】
2007074538.tif 000008